(57)【要約】【課題】従来品よりも容易に製造可能なガイド部を備えた画像読取装置を提供すること。【解決手段】複合機において、イメージセンサを支持する支持体２３は、ガイド部６１に沿って左右方向へ往復移動する。ガイド部６１は、板金部品で、前後方向及び上下方向の双方に対して平行な面状部分である第一部分６１Ａと、第一部分６１Ａにおける下端から連続する部分が左右方向に曲げられて形成された第二部分６１Ｂとを有する。第一部分６１Ａにおける上下方向の寸法は、第二部分６１Ｂにおける左右方向の寸法よりも小さくされている。支持体２３は、キャリッジ部８１と、キャリッジ部８１の底部に取り付けられたスライダ部８３とを有する。スライダ部８３は、ガイド部６１の第一部分６１Ａに当接する第一位置決め部９１と、ガイド部６１の第二部分６１Ｂに当接する第二位置決め部９２とを有する。【選択図】図６
2014049881.tif 000002
【特許請求の範囲】
【請求項１】
原稿が載置される載置部と、
前記原稿の画像を読み取る読取部と
を備え、
前記読取部は、
所定の配列方向に配列された複数の読取素子を有するイメージセンサと、
前記イメージセンサを支持し、前記配列方向と交差する移動方向へ前記イメージセンサとともに往復移動可能な支持体と、
前記支持体が前記移動方向へ移動する際に、前記支持体と接触することによって前記支持体を前記移動方向へと案内する板金製のガイド部と、
前記支持体を前記移動方向へ往復移動させる駆動部と
を備え、
前記載置部に載置された原稿の画像を読み取る際には、前記支持体が所定の読取範囲内を前記移動方向へ移動するように構成されている
画像読取装置。
【請求項２】
前記ガイド部は、
前記配列方向及び前記移動方向の双方に対して垂直な方向を垂直方向として、前記移動方向及び前記垂直方向の双方に対して平行な面状部分である第一部分と、
前記第一部分における前記垂直方向の一端から連続する部分が曲げられて形成された、前記移動方向及び前記配列方向に対して平行な面状部分である第二部分と
を有する請求項１に記載の画像読取装置。
【請求項３】
前記支持体は、前記ガイド部の前記第一部分における前記配列方向の両側にある各面に当接する第一位置決め部を有する
請求項２に記載の画像読取装置。
【請求項４】
前記支持体は、前記ガイド部の前記第二部分に当接する第二位置決め部を有する
請求項３に記載の画像読取装置。
【請求項５】
前記支持体は、前記垂直方向について、前記ガイド部の前記第一部分における前記第二部分とは反対側の端部との間に空隙をなす形状とされている
請求項４に記載の画像読取装置。
【請求項６】
前記第一部分における前記垂直方向の寸法は、前記第二部分における前記配列方向の寸法よりも小さくされている
請求項４又は請求項５に記載の画像読取装置。
【請求項７】
前記支持体は、前記イメージセンサが取り付けられるキャリッジ部に対し、前記ガイド部と接触しつつ前記ガイド部に沿ってスライドするスライダ部が取り付けられた構造とされており、
前記スライダ部は、前記キャリッジ部よりも摺動性の高い材料で形成され、
前記第一位置決め部及び前記第二位置決め部は、前記スライダ部と同じ材料で前記スライダ部に一体成形されている
請求項１〜請求項６のいずれか一項に記載の画像読取装置。
【請求項８】
前記イメージセンサは、前記支持体とともに往復移動する際、往動方向又は復動方向のいずれか一方を第一移動方向、他方を第二移動方向として、前記第一移動方向へ移動するときに、所定の読取範囲内において前記載置部に載置された原稿の画像を読み取るように構成され、
前記支持体は、前記支持体と前記ガイド部との交差箇所を中心に、前記配列方向及び前記移動方向の双方に対して平行な面に沿って、前記ガイド部に対し相対的に揺動可能な状態で、前記ガイド部上に支持され、
前記駆動部は、前記交差箇所から離間した位置において前記支持体に駆動力を作用させることにより、前記支持体を前記第一移動方向へ移動させる場合には、前記支持体を第一揺動方向へと揺動させる一方、前記支持体を前記第二移動方向へ移動させる場合には、前記支持体を前記第一揺動方向とは逆方向となる第二揺動方向へと揺動させ、
前記第一位置決め部は、前記支持体が前記第一揺動方向へ揺動した際、前記配列方向と前記移動方向とが直交する位置まで前記支持体が揺動すると前記ガイド部の前記第一部分の両側に当接して、それ以上前記支持体が前記第一揺動方向へ揺動するのを規制する一方、前記支持体が前記第二揺動方向へ揺動した際には、前記ガイド部の前記第一部分の両側のうち、少なくとも一方から離間する
請求項１〜請求項７のいずれか一項に記載の画像読取装置。
【発明の詳細な説明】
【技術分野】
【０００１】
本発明は、画像読取装置に関する。
【背景技術】
【０００２】
従来、フラットベッド型と呼ばれる画像読取装置が知られている。この種の画像読取装置は、一般に、主走査方向に配列された読取素子を有するイメージセンサと、そのイメージセンサを副走査方向へ移動させるキャリッジ等の支持体を備える。支持体は、ガイド部（例えばガイドシャフト）に沿って移動可能な構造とされる。ガイド部としては、丸棒状の金属軸などが利用される（例えば、下記特許文献１参照。）。
【先行技術文献】
【特許文献】
【０００３】
【特許文献１】特開平１１−２６６３４７公報
【発明の概要】
【発明が解決しようとする課題】
【０００４】
しかしながら、上述の画像読取装置のように、ガイド部として丸棒状の金属軸を採用すると、ガイド部の加工に相応の手間がかかる、という問題がある。また、加工に手間がかかる分だけ製造コストがかさむという問題もある。そのため、丸棒状の金属軸よりも生産性の高い代替品で、ガイド部を構成したいとの要望があった。
【０００５】
本発明は、上記問題を解決するためになされたものであり、その目的は、従来品よりも容易に製造可能なガイド部を備えた画像読取装置を提供することにある。
【課題を解決するための手段】
【０００６】
以下、本発明において採用した構成について説明する。
本発明の画像読取装置は、原稿が載置される載置部と、前記原稿の画像を読み取る読取部とを備え、前記読取部は、所定の配列方向に配列された複数の読取素子を有するイメージセンサと、前記イメージセンサを支持し、前記配列方向と交差する移動方向へ前記イメージセンサとともに往復移動可能な支持体と、前記支持体が前記移動方向へ移動する際に、前記支持体と接触することによって前記支持体を前記移動方向へと案内する板金製のガイド部と、前記支持体を前記移動方向へ往復移動させる駆動部とを備え、前記載置部に載置された原稿の画像を読み取る際には、前記支持体が所定の読取範囲内を前記移動方向へ移動するように構成されている。
【０００７】
このように構成された画像読取装置によれば、ガイド部が板金製とされているので、軸方向に垂直な断面が円形となる金属軸でガイド部が構成されているものに比べ、ガイド部となる部品を板金加工によって容易に製造でき、生産性を向上させることができる。
【０００８】
本発明の画像読取装置において、前記ガイド部は、前記配列方向及び前記移動方向の双方に対して垂直な方向を垂直方向として、前記移動方向及び前記垂直方向の双方に対して平行な面状部分である第一部分と、前記第一部分における前記垂直方向の一端から連続する部分が曲げられて形成された、前記移動方向及び前記配列方向に対して平行な面状部分である第二部分とを有することが好ましい。
【０００９】
このように構成された画像読取装置によれば、ガイド部が上述のような第一部分及び第二部分を有する形状とされているので、折り曲げ部分のない板材などに比べ、ガイド部に要求される機械的強度を容易に確保でき、ガイド部に撓みが生じるのを適切に抑制することができる。
【００１０】
本発明の画像読取装置において、前記支持体は、前記ガイド部の前記第一部分における前記配列方向の両側にある各面に当接する第一位置決め部を有することが好ましい。
このように構成された画像読取装置によれば、ガイド部の第一部分に第一位置決め部を当接させて、配列方向について支持体の位置決めを行うことができる。
【００１１】
本発明の画像読取装置において、前記支持体は、前記ガイド部の前記第二部分に当接する第二位置決め部を有することが好ましい。
このように構成された画像読取装置によれば、ガイド部の第二部分に第二位置決め部を当接させて、垂直方向について支持体の位置決めを行うことができる。
【００１２】
本発明の画像読取装置において、前記支持体は、前記垂直方向について、前記ガイド部の前記第一部分における前記第二部分とは反対側の端部との間に空隙をなす形状とされていることが好ましい。
【００１３】
このように構成された画像読取装置によれば、第二位置決め部による位置決めがなされた状態において、支持体とガイド部の第一部分における第二部分とは反対側の端部との間には空隙が形成される。したがって、支持体が移動方向へ移動する際に、支持体とガイド部の第一部分における第二部分とは反対側の端部との間では摩擦が発生せず、支持体若しくはガイド部の第一部分における第二部分とは反対側の端部が摩耗するのを抑制することができる。
【００１４】
本発明の画像読取装置において、前記第一部分における前記垂直方向の寸法は、前記第二部分における前記配列方向の寸法よりも小さくされていることが好ましい。
このように構成された画像読取装置によれば、同寸法の金属板を第一部分と第二部分が均等な寸法となる位置で折り曲げた場合に比べ、第一部分における垂直方向の寸法は相対的に小さくされるので、装置の薄型化に寄与する。一方、第二部分における配列方向の寸法は相対的に大きくされ、第二位置決め部が当接する面を広めに確保することができるので、支持体の荷重を受ける部分でもある第二位置決め部を過度に小さく設計しなくても済み、第二位置決め部を大きめに設計することで、第二位置決め部の機械的強度を容易に確保することができる。
【００１５】
本発明の画像読取装置において、前記支持体は、前記イメージセンサが取り付けられるキャリッジ部に対し、前記ガイド部と接触しつつ前記ガイド部に沿ってスライドするスライダ部が取り付けられた構造とされており、前記スライダ部は、前記キャリッジ部よりも摺動性の高い材料で形成され、前記第一位置決め部及び前記第二位置決め部は、前記スライダ部と同じ材料で前記スライダ部に一体成形されていることが好ましい。
【００１６】
このように構成された画像読取装置によれば、キャリッジ部及びスライダ部を形成する材料が、上述のように異なる材料とされている。したがって、いずれか一方の材料で支持体全体を一体成形した場合よりも、キャリッジ部及びスライダ部それぞれの性能を最適化することができ、第一位置決め部及び第二位置決め部の耐摩耗性を高めることができる。
【００１７】
本発明の画像読取装置において、前記イメージセンサは、前記支持体とともに往復移動する際、往動方向又は復動方向のいずれか一方を第一移動方向、他方を第二移動方向として、前記第一移動方向へ移動するときに、所定の読取範囲内において前記載置部に載置された原稿の画像を読み取るように構成され、前記支持体は、前記支持体と前記ガイド部との交差箇所を中心に、前記配列方向及び前記移動方向の双方に対して平行な面に沿って、前記ガイド部に対し相対的に揺動可能な状態で、前記ガイド部上に支持され、前記駆動部は、前記交差箇所から離間した位置において前記支持体に駆動力を作用させることにより、前記支持体を前記第一移動方向へ移動させる場合には、前記支持体を第一揺動方向へと揺動させる一方、前記支持体を前記第二移動方向へ移動させる場合には、前記支持体を前記第一揺動方向とは逆方向となる第二揺動方向へと揺動させ、前記第一位置決め部は、前記支持体が前記第一揺動方向へ揺動した際、前記配列方向と前記移動方向とが直交する位置まで前記支持体が揺動すると前記ガイド部の前記第一部分の両側に当接して、それ以上前記支持体が前記第一揺動方向へ揺動するのを規制する一方、前記支持体が前記第二揺動方向へ揺動した際には、前記ガイド部の前記第一部分の両側のうち、少なくとも一方から離間することが好ましい。
【００１８】
このように構成された画像読取装置によれば、イメージセンサで原稿の画像を読み取る際に、駆動部は支持体を第一移動方向へ移動させるとともに第一揺動方向へ揺動させる。このとき、イメージセンサが備える読取素子の配列方向が支持体の移動方向に対して直交する位置まで支持体が揺動すると、それ以上の揺動が第一位置決め部によって規制される。
【００１９】
このような状態を維持したまま支持体が第一移動方向へ移動し、その際、イメージセンサで原稿の画像を読み取る。したがって、支持体が揺動するにもかかわらず、イメージセンサが第一方向へ移動する際、イメージセンサの位置は、読取素子の配列方向を主走査方向、支持体の移動方向を副走査方向とする位置に適切に位置決めされる。
【００２０】
一方、イメージセンサで原稿の画像を読み取るときとは逆方向へ支持体を移動させる際、駆動部は支持体を第二移動方向へ移動させるとともに第二揺動方向へ揺動させる。このとき、第一位置決め部は、ガイド部の第一部分の両側のうち、少なくとも一方から離間し、読取素子の配列方向と支持体の移動方向は直交しない位置関係となる。
【００２１】
この状態では、読取素子の配列方向は、主走査方向としての適切な方向からずれてしまうが、イメージセンサによる画像の読み取りは行われないので、その点は問題がない。このような状態で支持体を第二移動方向へ移動させれば、第一位置決め部をガイド部から離間させた状態で支持体が第二移動方向へ移動するので、第一位置決め部の摩耗が抑制される。
【００２２】
したがって、第一位置決め部相当部分が常にガイド部に当接する状態で支持体が往復移動するものに比べ、支持体が第一移動方向へ移動する際に読取素子の配列方向と支持体の移動方向が精度良く直交する状態をより長期にわたって維持することができ、読み取り画質の低下を抑制できる。
【００２３】
また、支持体をガイド部に対して組み付ける際には、第一位置決め部とガイド部が当接しない状態で、支持体の組み付け作業を行うことができる。したがって、第一位置決め部相当部分が常にガイド部に当接する状態となるものに比べ、支持体の組み付け作業を行いやすく、生産性やメンテナンス性が向上する。
【図面の簡単な説明】
【００２４】
【図１】複合機全体の外観を示す斜視図。
【図２】複合機の内部構成を示すブロック図。
【図３】スキャナユニット及びＡＤＦユニットの外観を示す斜視図。
【図４】スキャナユニットを示す平面図。
【図５】スキャナユニット及びＡＤＦユニットの概略構造を示す縦断面図。
【図６】ガイド部及びスライダ部付近の構造を示す縦断面図。
【図７】第一方向へ移動する支持体の傾きとガイド部に対する当接状態を示す説明図。
【図８】第二方向へ移動する支持体の傾きとガイド部に対する当接状態を示す説明図。
【図９】突当部に突き当たったときの支持体の傾きの変化を示す説明図。
【図１０】スライダ部の別の事例を示す説明図。
【発明を実施するための形態】
【００２５】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係を簡潔に説明するため、図中に併記した上下左右前後の各方向を利用して説明を行う。
【００２６】
［複合機の構造］
図１に示すように、複合機１は、本体ユニット２と、本体ユニット２の上側に搭載されたスキャナユニット３と、スキャナユニット３の上側に搭載されたＡＤＦユニット４とを備えている。本体ユニット２の前側上部には、利用者によって操作される操作パネル６が設けられている。本体ユニット２の下部には、印刷前の被記録媒体が収納される給紙カセット８Ａ，８Ｂが装着されている。
【００２７】
これらのうち、本体ユニット２には、図２に示すように、上述した操作パネル６の他、制御部１１、画像形成部１２、ＬＡＮ通信部１３、ＰＳＴＮ通信部１４などが設けられている。
【００２８】
制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備えている。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００２９】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３０】
操作パネル６には、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）が設けられている。
【００３１】
スキャナユニット３は、複数の読取素子を有するライン型のイメージセンサ２１と、イメージセンサ２１を支持する支持体２３とを備えている。また、スキャナユニット３には、モータ２５と、モータ２５によって駆動されるギヤ機構２７と、ギヤ機構２７によって駆動されるタイミングベルト２９などが設けられ、上述の支持体２３は、タイミングベルト２９に連結されている。モータ２５は、制御部１１のインターフェース部１１Ｅに設けられたモータ駆動部１１Ｆから駆動信号を受けて作動する。モータ２５が発生させた動力は、ギヤ機構２７及びタイミングベルト２９を介して支持体２３へと伝達され、その結果、支持体２３はイメージセンサ２１とともに左右方向に移動する。
【００３２】
ＡＤＦユニット４は、原稿を所定の搬送経路に沿って搬送する搬送ローラ３１〜３９を備えている。また、ＡＤＦユニット４には、モータ４１と、モータ４１によって駆動されるギヤ機構４３などが設けられている。モータ４１は、制御部１１のインターフェース部１１Ｅに設けられたモータ駆動部１１Ｇから駆動信号を受けて作動する。モータ４１が発生させた動力は、ギヤ機構４３を介して搬送ローラ３１〜３９へと伝達される。なお、搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。
【００３３】
［スキャナユニット及びＡＤＦユニットの詳細］
図１に示すように、  スキャナユニット３の上部にはカバー部材５１が設けられ、カバー部材５１にプラテンガラス５３が取り付けられている。カバー部材５１は、プラテンガラス５３の四辺を囲むフレーム部５１Ａと、プラテンガラス５３の上面を第一領域５３Ａ及び第二領域５３Ｂに区画する仕切り部５１Ｂとを有する。なお、本実施形態では、プラテンガラス５３を一枚で構成し、仕切り部５１Ｂにより、第一領域５３Ａと第二領域５３Ｂに区画する構成としているが、第一領域５３Ａと第二領域５３Ｂとを別々のプラテンガラスにより構成してもよい。
【００３４】
ＡＤＦユニット４は、図３に示すように、左右方向に離間した位置に設けられた一対のヒンジ部５５を介して、スキャナユニット３に対して開閉可能に取り付けられている。ＡＤＦユニット４を開いた際には、図１に示すように、プラテンガラス５３の上面が外部に露出する。一方、ＡＤＦユニット４を閉じた際には、ＡＤＦユニット４がプラテンガラス５３の上面を覆うカバーとして機能する。
【００３５】
スキャナユニット３の内部には、図３及び図４に示すように、上述したイメージセンサ２１、支持体２３、タイミングベルト２９などが配設されている。なお、図４には、イメージセンサ２１が支持体２３とともに位置Ｐ１へ移動した状態と位置Ｐ２へ移動した状態とを併記してある。
【００３６】
イメージセンサ２１は、本実施形態の場合、密着イメージセンサ（ＣＩＳ；Contact Image Sensor）とされている。イメージセンサ２１が有する複数の読取素子は、複合機１における前後方向に配列されている。以下、この読取素子の配列方向である前後方向のことを主走査方向とも称する。
【００３７】
スキャナユニット３が備えるベース部３Ａの上面側には、左右方向に延びるガイド部６１が設けられている。タイミングベルト２９が駆動された際、支持体２３はガイド部６１に沿って左右方向へ移動する。以下、このイメージセンサ２１及び支持体２３の移動方向である左右方向のことを副走査方向とも称する。
【００３８】
イメージセンサ２１の前後方向の両端付近には、図４及び図５に示すように、イメージセンサ２１とプラテンガラス５３との間に介在するスペーサ６３が取り付けられている。また、支持体２３とイメージセンサ２１の間には、図５に示すように、圧縮ばね６５が介装されている。
【００３９】
イメージセンサ２１及びスペーサ６３は、圧縮ばね６５によって常にプラテンガラス５３側に向かって押し付けられる状態にある。そのため、支持体２３が移動する際に、支持体２３が僅かに上下動したとしても、スペーサ６３がプラテンガラス５３の下面に当接する状態は維持され、イメージセンサ２１はプラテンガラス５３の下面と平行に移動する。
【００４０】
スキャナユニット３において、カバー部材５１が有する仕切り部５１Ｂの下面には、図５に示すように、基準部材６７が組み込まれている。基準部材６７は、白色部分と黒色部分が所定のパターンをなすように形成された部材で、画像の読み取りを行う際には、イメージセンサ２１の原点位置の補正やシェーディング補正を行うために、イメージセンサ２１で基準部材６７が読み取られる。
【００４１】
ＡＤＦユニット４の内部には、図５に示すように、上述した複数の搬送ローラ３１〜３９が設けられている。これらの搬送ローラ３１〜３９を作動させると、原稿を所定の搬送経路（図５中に破線で示す経路。）に沿って搬送することができる。
【００４２】
複合機１がＡＤＦ型イメージスキャナとして利用される場合、スキャナユニット３において、イメージセンサ２１は図４における位置Ｐ１へ移動して静止する（以下、位置Ｐ１を読取位置Ｐ１とも称する。）。また、ＡＤＦユニット４において、搬送ローラ３１〜３９は、上述の搬送経路に沿って原稿を搬送する。
【００４３】
搬送される原稿は、搬送経路の途中でプラテンガラス５３の第二領域５３Ｂに接する位置を左右方向へ通過する。この位置には、原稿押さえ７１が設けられている。搬送される原稿が原稿押さえ７１のある位置を通過する際には、原稿押さえ７１が第二領域５３Ｂに向かって原稿を押圧し、原稿をプラテンガラス５３の第二領域５３Ｂに密着させる。そして、読取位置Ｐ１にあるイメージセンサ２１は、第二領域５３Ｂ及び原稿押さえ７１に対向している。この状態で、イメージセンサ２１は、読取位置Ｐ１を通過する原稿の画像を、主走査方向に配列された読取素子で読み取ることができる。
【００４４】
図５に示すように、ＡＤＦユニット４の下面で、ＡＤＦユニット４を閉じた際にプラテンガラス５３の第一領域５３Ａに接する位置には、弾性部材７３が設けられている。弾性部材７３は、上層が発泡樹脂層、下層が樹脂フィルム層とされた積層体である。
【００４５】
複合機１がフラットベッド型イメージスキャナとして利用される場合、プラテンガラス５３の第一領域５３Ａに原稿が載置される。そして、必要があれば、ＡＤＦユニット４が閉じられる。このとき、弾性部材７３が第一領域５３Ａに載置された原稿を上から押圧し、原稿をプラテンガラス５３の第一領域５３Ａに密着させる。この状態で、イメージセンサ２１は支持体２３とともに副走査方向へ移動する。
【００４６】
本実施形態において、イメージセンサ２１は、右方（本発明でいう第一移動方向）へと往動する際に、所定の読取範囲Ａ１内において、プラテンガラス５３の第一領域５３Ａに載置された原稿の画像を、主走査方向に配列された読取素子で読み取る。その後、画像の読み取りを終えたら、イメージセンサ２１は左方（本発明でいう第二移動方向）へと復動して初期位置に復帰する。
【００４７】
［支持体及びガイド部の詳細］
ガイド部６１は、図６に示すように、長手方向に垂直な断面が略Ｌ字状となるようにプレス加工された板金部品である。ガイド部６１は、前後方向及び上下方向の双方に対して平行な面状部分である第一部分６１Ａと、第一部分６１Ａにおける下端から連続する部分が左右方向に曲げられて形成された第二部分６１Ｂとを有する。第一部分６１Ａにおける上下方向の寸法は、第二部分６１Ｂにおける左右方向の寸法よりも小さくされている。
【００４８】
支持体２３は、図６に示すように、キャリッジ部８１と、キャリッジ部８１の底部に取り付けられたスライダ部８３とを有する。スライダ部８３は、キャリッジ部８１の主走査方向における中央付近に設けられ、キャリッジ部８１よりも摺動性の高い材料で形成されている。具体的には、本実施形態の場合、キャリッジ部８１はＡＢＳ樹脂で形成され、スライダ部８３はポリアセタール樹脂（ＰＯＭ）で形成されている。
【００４９】
スライダ部８３の右側となる位置には、キャリッジ部８１の下面から下方に向かって突出する連結部８５が設けられている。この連結部８５は、キャリッジ部８１に一体成形されている。連結部８５は、タイミングベルト２９に対して連結されている。タイミングベルト２９が駆動されると、連結部８５がタイミングベルト２９に引っ張られて、支持体２３は副走査方向へ移動する。なお、連結部８５は、キャリッジ部８１とは別に形成され、組み付けられて固定される構成であってもよい。
【００５０】
スライダ部８３は、ガイド部６１の第一部分６１Ａに当接する第一位置決め部９１と、ガイド部６１の第二部分６１Ｂに当接する第二位置決め部９２とを有する。第一位置決め部９１は、第一部分６１Ａを左右方向両側から挟むかたちで、第一部分６１Ａの両側面に当接し、支持体２３が左右方向へ変位するのを規制している。第二位置決め部９２は、第二部分６１Ｂの上面に当接し、支持体２３が下方へ変位するのを規制している。
【００５１】
スライダ部８３は、上下方向について、ガイド部６１の第一部分６１Ａの上端（すなわち、第一部分６１Ａにおける第二部分６１Ｂとは反対側の端部。）との間に空隙９３をなす形状とされている。そのため、支持体２３からの荷重が第一部分６１Ａの上端にかかることはなく、支持体２３からの荷重は第二位置決め部９２を介して第二部分６１Ｂの上面に作用する。
【００５２】
第一位置決め部９１は、図７（ａ）〜図７（ｃ）、及び図８（ａ）〜図８（ｃ）に示すように、第一当接部９１Ａ、第二当接部９１Ｂ、第一規制部９１Ｃ、及び第二規制部９１Ｄを備える。これら第一当接部９１Ａ、第二当接部９１Ｂ、第一規制部９１Ｃ、及び第二規制部９１Ｄは、スライダ部８３に一体成形されている。なお、第一当接部９１Ａ、第二当接部９１Ｂ、第一規制部９１Ｃ、及び第二規制部９１Ｄは、スライダ部８３とは別に形成され、組み付けられて固定される構成であってもよい。
【００５３】
第一当接部９１Ａ及び第二当接部９１Ｂは、前後方向についてはガイド部６１の第一部分６１Ａを挟んで両側となる位置にあり、かつ左右方向については所定距離だけずれた位置にある。第一規制部９１Ｃ及び第二規制部９１Ｄも、前後方向についてはガイド部６１の第一部分６１Ａを挟んで両側となる位置にあり、かつ左右方向については所定距離だけずれた位置にある。
【００５４】
支持体２３は、図７（ａ）及び図８（ａ）に示すように、支持体２３とガイド部６１との交差箇所を中心に、主走査方向及び副走査方向の双方に対して平行な面に沿って、ガイド部６１に対し相対的に揺動可能な状態で、ガイド部６１上に支持されている。
【００５５】
タイミングベルト２９は、支持体２３とガイド部６１との交差箇所から装置後方へ離間した位置において支持体２３に駆動力を作用させる。これにより、図７（ａ）に示すように平面視した状態において、支持体２３を右方（本発明でいう第一移動方向）へ移動させる場合には、支持体２３を時計回り（本発明でいう第一揺動方向）に揺動させる。また、支持体２３を左方（本発明でいう第二移動方向）へ移動させる場合には、図８（ａ）に示すように、支持体２３を反時計回り（本発明でいう第二揺動方向）に揺動させる。
【００５６】
支持体２３を時計回りに揺動させると、図７（ａ）〜図７（ｃ）に示すように、第一当接部９１Ａ及び第二当接部９１Ｂは、ガイド部６１の第一部分６１Ａに当接する。この状態において、第一規制部９１Ｃ及び第二規制部９１Ｄは、ガイド部６１の第一部分６１Ａから離間し、非接触状態になる。
【００５７】
第一当接部９１Ａ及び第二当接部９１Ｂは、イメージセンサ２１が備える読取素子の配列方向と副走査方向が直交する第一位置（図７（ａ）中では実線、図８（ａ）中では二点鎖線で示す位置）まで支持体２３が揺動した時点でガイド部６１に当接し、それ以上支持体２３が時計回りに揺動するのを規制する。
【００５８】
逆に、支持体２３を反時計回りに揺動させると、図８（ａ）〜図８（ｃ）に示すように、第一規制部９１Ｃ及び第二規制部９１Ｄは、ガイド部６１の第一部分６１Ａに当接する。この状態において、第一当接部９１Ａ及び第二当接部９１Ｂは、ガイド部６１の第一部分６１Ａから離間し、非接触状態になる。
【００５９】
第一規制部９１Ｃ及び第二規制部９１Ｄは、イメージセンサ２１が備える読取素子の配列方向と副走査方向が斜めに交差する第二位置（図８（ａ）中では実線、図７（ａ）中では二点鎖線で示す位置）まで支持体２３が揺動した時点でガイド部６１に当接し、それ以上支持体２３が反時計回りに揺動するのを規制する。
【００６０】
支持体２３は、以上のような構造とされているので、第一当接部９１Ａ、及び第二当接部９１Ｂにガイド部６１が当接する位置と、第一規制部９１Ｃ、及び第二規制部９１Ｄにガイド部６１が当接位置との間で揺動することができる。このため、支持体２３がタイミングベルト２９からの駆動力を受けて右方へ移動する際には、イメージセンサ２１が備える読取素子の配列方向は、支持体２３の移動方向と直交する状態となる。これにより、配列方向を主走査方向、移動方向を副走査方向として、イメージセンサ２１で適切に画像の読み取りを行うことができる。
【００６１】
一方、支持体２３がタイミングベルト２９からの駆動力を受けて左方へ移動する際には、イメージセンサ２１が備える読取素子の配列方向は、支持体２３の移動方向と斜めに交差する状態となる。この場合、配列方向が移動方向に対して傾くが、画像の読み取りは行われないので問題ない。
【００６２】
また、支持体２３が左方へ移動する際、第一当接部９１Ａ及び第二当接部９１Ｂはガイド部６１から離間するので、第一当接部９１Ａ及び第二当接部９１Ｂの摩耗は抑制される。したがって、第一当接部９１Ａ及び第二当接部９１Ｂが常にガイド部６１に当接している場合に比べ、第一当接部９１Ａ及び第二当接部９１Ｂによる位置決め精度を、より長期にわたって維持することができる。
【００６３】
さらに、カバー部材５１には、図９（ａ）及び図９（ｂ）に示すように、突当部９５が設けられている。この突当部９５は、平面視した状態において、連結部８５を挟んでガイド部６１とは反対側となる位置に設けられている。
【００６４】
支持体２３は、上述の通り、左方へ移動する際、イメージセンサ２１が備える読取素子の配列方向は、前後方向とは一致しない状態にある（図９（ａ）参照。）。しかし、支持体２３が読取位置Ｐ１（図４参照）に到達した際、支持体２３が突当部９５に突き当たると、突当部９５は支持体２３に対して時計回り（第一揺動方向）に揺動させる力を加える。その結果、支持体２３は、上述の配列方向と移動方向が直交する位置まで揺動する。これにより、支持体２３は、読取位置Ｐ１において、イメージセンサ２１が備える読取素子の配列方向を、適切に前後方向と一致させることができる。
【００６５】
ところで、上述した第一当接部９１Ａ、第二当接部９１Ｂ、第一規制部９１Ｃ、及び第二規制部９１Ｄは、図７（ａ）及び図８（ａ）に示すように平面視した状態において、第一当接部９１Ａと第二当接部９１Ｂとを結ぶ直線と、第一規制部９１Ｃと第二規制部９１Ｄとを結ぶ直線とが、交差する位置に配置されている。
【００６６】
そのため、支持体２３の移動方向について、第一当接部９１Ａと第二当接部９１Ｂとの間の距離、第一規制部９１Ｃと第二規制部９１Ｄとの間の距離を十分に確保しても、スライダ部８３の構造をコンパクトにすることができる。
【００６７】
ちなみに、同種のスライダ部としては、図１０（ａ）及び図１０（ｂ）に例示するスライダ部９７のように、第一突起部９８Ａと、第二突起部９８Ｂと、第三突起部９８Ｃとを設けたものなどを考え得る。
【００６８】
このようなスライダ部９７でも、図１０（ａ）に示すように時計回りに揺動させれば、第一突起部９８Ａと第二突起部９８Ｂがガイド部６１に当接して、支持体２３が第一位置まで揺動する。また、図１０（ｂ）に示すように反時計回りに揺動させれば、第二突起部９８Ｂと第三突起部第二がガイド部６１に当接し、支持体２３が第二位置まで揺動する。したがって、これらの第一突起部９８Ａ、第二突起部９８Ｂ、及び第三突起部９８Ｃでも、支持体２３が二位置間で揺動する構造を実現することができる。
【００６９】
ただし、これらの第一突起部９８Ａ、第二突起部９８Ｂ、及び第三突起部９８Ｃは、スライダ部８３とは異なり、「第一当接部９１Ａと第二当接部９１Ｂとを結ぶ直線と、第一規制部９１Ｃと第二規制部９１Ｄとを結ぶ直線とが、交差する位置に配置されている」という構造にはなっていない。
【００７０】
そのため、移動方向について、第一突起部９８Ａと第二突起部９８Ｂとの間の距離を、第一当接部９１Ａと第二当接部９１Ｂとの間の距離と同等にし、かつ、第二突起部９８Ｂと第三突起部９８Ｃとの間の距離を、第一規制部９１Ｃと第二規制部９１Ｄとの間の距離と同等にすると、第一突起部９８Ａと第三突起部９８Ｃとの間の距離は、第一当接部９１Ａと第二規制部９１Ｄとの間の距離よりも大きくなる。したがって、スライダ部９７の左右方向寸法は、先に説明したスライダ部８３よりも大きくなり、コンパクトさに欠ける構造となる。
【００７１】
あるいは、スライダ部９７の左右方向寸法を、先に説明したスライダ部８３と同等にすること自体はできるが、その場合、第一突起部９８Ａと第二突起部９８Ｂとの間の距離、及び第二突起部９８Ｂと第三突起部９８Ｃとの間の距離は、相応に短くなる。これらの各距離が短くなると、支持体２３の揺動位置について位置決め精度は低下しやすくなる。
【００７２】
よって、左右方向寸法をコンパクト化し、かつ、支持体２３の揺動位置についての位置決め精度を高めるには、スライダ部９７のような構造とするよりも、スライダ部８３のような構造とする方が有利である。
【００７３】
［効果］
以上説明した通り、上記複合機１によれば、ガイド部６１が板金製とされているので、軸方向に垂直な断面が円形となる金属軸でガイド部が構成されているものに比べ、ガイド部６１を板金加工によって容易に製造でき、生産性を向上させることができる。
【００７４】
また、上記複合機１において、ガイド部６１は、左右方向及び上下方向の双方に対して平行な面状部分である第一部分６１Ａと、左右方向及び前後方向に対して平行な面状部分である第二部分６１Ｂとを有する形状とされている。したがって、折り曲げ部分のない板材などに比べ、ガイド部６１に要求される機械的強度を容易に確保でき、ガイド部６１に撓みが生じるのを適切に抑制することができる。
【００７５】
また、支持体２３が備えるスライダ部８３は、ガイド部６１の第一部分６１Ａにおける前後方向の両側にある各面に当接する第一位置決め部９１を有するので、ガイド部６１の第一部分６１Ａに第一位置決め部９１を当接させて、前後方向について支持体２３の位置決めを行うことができる。
【００７６】
また、支持体２３が備えるスライダ部８３は、ガイド部６１の第二部分６１Ｂに当接する第二位置決め部９２を有するので、ガイド部６１の第二部分６１Ｂに第二位置決め部９２を当接させて、上下方向について支持体２３の位置決めを行うことができる。
【００７７】
また、第二位置決め部９２による位置決めがなされた状態において、支持体２３とガイド部６１の第一部分６１Ａの上端部との間には空隙９３が形成される。したがって、支持体２３が移動方向へ移動する際に、支持体２３とガイド部６１の第一部分６１Ａの上端部との間では摩擦が発生せず、支持体２３若しくはガイド部６１の第一部分６１Ａの上端部が摩耗するのを抑制することができる。
【００７８】
また、第一部分６１Ａにおける上下方向寸法は、第二部分６１Ｂにおける前後方向寸法よりも小さくされている。そのため、同寸法の金属板を第一部分と第二部分が均等な寸法となる位置で折り曲げた場合に比べ、第一部分６１Ａにおける上下方向寸法は相対的に小さくされ、装置の薄型化に寄与する。一方、第二部分６１Ｂにおける前後方向寸法は相対的に大きくされている。そのため、第二位置決め部９２が当接する面を広めに確保することができるので、支持体２３の荷重を受ける部分でもある第二位置決め部９２を過度に小さく設計しなくても済み、第二位置決め部９２を大きめに設計することで、第二位置決め部９２の機械的強度を容易に確保することができる。
【００７９】
また、上記複合機１において、キャリッジ部８１とスライダ部８３は、上述のように異なる材料とされているので、いずれか一方の材料で支持体２３全体を一体成形した場合よりも、キャリッジ部８１及びスライダ部８３それぞれの性能を最適化することができ、第一位置決め部９１及び第二位置決め部９２の耐摩耗性を高めることができる。
【００８０】
加えて、上記複合機１によれば、支持体２３が読取位置Ｐ１で静止した場合、支持体２３が右方へ移動する場合、いずれの場合においても、イメージセンサ２１の読取素子の配列方向を適切に前後方向に向けることができる。また、支持体２３が左方へ移動する場合には、第一当接部９１Ａ及び第二当接部９１Ｂをガイド部６１から離間させて、第一当接部９１Ａ及び第二当接部９１Ｂの摩耗を抑制することができる。
【００８１】
また、上記複合機１によれば、第一当接部９１Ａ、第二当接部９１Ｂ、第一規制部９１Ｃ、及び第二規制部９１Ｄのすべてがガイド部６１に当接する状態にはない。そのため、これらすべてがガイド部６１に当接しているものに比べ、支持体２３をガイド部６１に組み付ける作業を行う際には、支持体２３の組み付け作業を行いやすく、生産性やメンテナンス性が向上する。
【００８２】
［その他の実施形態］
以上、本発明の実施形態について説明したが、本発明は上記の具体的な一実施形態に限定されず、この他にも種々の形態で実施することができる。
【００８３】
例えば、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用しても良い。
【符号の説明】
【００８４】
１・・・複合機、２・・・本体ユニット、３・・・スキャナユニット、３Ａ・・・ベース部、４・・・ＡＤＦユニット、６・・・操作パネル、８Ａ・・・給紙カセット、１１・・・制御部、１１Ａ・・・ＣＰＵ、１１Ｂ・・・ＲＯＭ、１１Ｃ・・・ＲＡＭ、１１Ｄ・・・ＮＶＲＡＭ、１１Ｅ・・・インターフェース部、１１Ｆ，１１Ｇ・・・モータ駆動部、１２・・・画像形成部、１３・・・ＬＡＮ通信部、１４・・・ＰＳＴＮ通信部、２１・・・イメージセンサ、２３・・・支持体、２５，４１・・・モータ、２７，４３・・・ギヤ機構、２９・・・タイミングベルト、３１〜３９・・・搬送ローラ、５１・・・カバー部材、５１Ａ・・・フレーム部、５１Ｂ・・・仕切り部、５３・・・プラテンガラス、５３Ａ・・・第一領域、５３Ｂ・・・第二領域、５５・・・ヒンジ部、６１・・・ガイド部、６１Ａ・・・第一部分、６１Ｂ・・・第二部分、６３・・・スペーサ、６５・・・圧縮ばね、６７・・・基準部材、７１・・・原稿押さえ、７３・・・弾性部材、８１・・・キャリッジ部、８３，９７・・・スライダ部、８５・・・連結部、９１・・・第一位置決め部、９１Ａ・・・第一当接部、９１Ｂ・・・第二当接部、９１Ｃ・・・第一規制部、９１Ｄ・・・第二規制部、９２・・・第二位置決め部、９３・・・空隙、９５・・・突当部、９８Ａ・・・第一突起部、９８Ｂ・・・第二突起部、９８Ｃ・・・第三突起部。
【図１】
2014049881.tif 000003
【図２】
2014049881.tif 000004
【図３】
2014049881.tif 000005
【図４】
2014049881.tif 000006
【図５】
2014049881.tif 000007
【図６】
2014049881.tif 000008
【図７】
2014049881.tif 000009
【図８】
2014049881.tif 000010
【図９】
2014049881.tif 000011
【図１０】
2014049881.tif 000012